(57)【要約】      （修正有）【課題】伸縮による長さの調整作業を円滑に行うことができる支柱体を提供する。【解決手段】パイプ状の外側支柱部材６と、外側支柱部材６に収容された内側支柱部材７と、内側支柱部材７を外側支柱部材６に固定する固定装置とを備える。固定装置は、外側支柱部材６に設けた雄部材９と、雄部材９に螺合する雌部材とを備える。雄部材９は、内側支柱部材７を雌部材の螺着に応じて締め付ける締め付け部１３と、締め付け部１３の内側に突出する凸部１５とを備える。内側支柱部材７は、凸部１５に当接して位置決めされた状態となる位置決め部材１４を備える。【選択図】図３
0003222462.tif 000002
【実用新案登録請求の範囲】
【請求項１】
パイプ状の外側支柱部材と、該外側支柱部材の先端から伸縮自在に該外側支柱部材に収容された内側支柱部材と、前記外側支柱部材から所定の長さに伸長された前記内側支柱部材を前記外側支柱部材に固定する固定装置とを備える支柱体において、
前記固定装置は、前記外側支柱部材に設けられた雄部材と、該雄部材に装着状態で螺合する雌部材とを備え、
前記雄部材は、挿通された前記内側支柱部材を前記雌部材の螺着に応じて締め付ける締め付け部と、該締め付け部の内側に突出する凸部とを備え、
前記内側支柱部材は、前記凸部に当接して位置決め状態となる位置決め部を備えていることを特徴とする支柱体。
【考案の詳細な説明】
【技術分野】
【０００１】
本考案は、幟旗の旗竿等の支柱体の改良に関する。
【背景技術】
【０００２】
この種の支柱体として、例えば、幟旗の旗竿が挙げられる。幟旗の旗竿は、支持する旗部の高さ位置に対応させるために、高さ方向の長さを伸縮させることができるものが知られている（例えば特許文献１参照）。
【０００３】
このものでは、大径パイプの内側に小径パイプを挿入して伸縮自在とし、小径パイプを伸長又は収縮方向に操作して所望の長さに調整したところで、固定装置により小径パイプを固定する。
【先行技術文献】
【特許文献】
【０００４】
【特許文献１】実開平３−８６３９１号公報（第５図）
【考案の概要】
【考案が解決しようとする課題】
【０００５】
しかし、従来の旗竿（支柱体）は、長さを調整する際に、小径パイプを常に同じ場所で止めることがむずかしく、円滑な調整作業が行えなくなる不都合がある。
【０００６】
上記の点に鑑み、本考案は、伸縮による長さの調整作業を円滑に行うことができる支柱体を提供することを目的とする。
【課題を解決するための手段】
【０００７】
かかる目的を達成するために、本考案は、パイプ状の外側支柱部材と、該外側支柱部材の先端から伸縮自在に該外側支柱部材に収容された内側支柱部材と、前記外側支柱部材から所定の長さに伸長された前記内側支柱部材を前記外側支柱部材に固定する固定装置とを備える支柱体において、前記固定装置は、前記外側支柱部材に設けられた雄部材と、該雄部材に装着状態で螺合する雌部材とを備え、前記雄部材は、挿通された前記内側支柱部材を前記雌部材の螺着に応じて締め付ける締め付け部と、該締め付け部の内側に突出する凸部とを備え、前記内側支柱部材は、前記凸部に当接して位置決め状態となる位置決め部を備え、前記位置決め部は、前記内側支柱部材の長手方向に摩擦抵抗をもって移動自在に設けられていることを特徴とする。
【０００８】
固定装置は、雄部材に雌部材を螺着操作することにより、締め付け部が内側支柱部材を締め付け、内側支柱部材に外側支柱部材を固定する。内側支柱部材は、位置決め部を備えているので、内側支持部材を外側支柱部材から引き伸ばそうとすると、内側支柱部材に設けられた位置決め部が雄部材の凸部に当接し、内側支持部材の外側支柱部材からの抜け出しが防止される。これにより、小径パイプを常に同じ場所で止めることが容易となり、長さの調整作業を円滑に行うことができる。
【０００９】
したがって、内側支持部材における位置決め部位置を一定にすることにより、内側支持部材の外側支柱部材からの突出量が一定となる。これにより、伸縮による長さの調整作業を円滑に行うことができる。
【００１０】
また、内側支柱部材を伸長させたときに所望の伸長寸法となるように、予め位置決め部の位置を調整しておくことができる。こうすることで、位置決め部が凸部に当接して、内側支柱部材を伸長が停止したところが所望の長さであるので、長さの調整作業が極めて容易となる。そして、内側支柱部材が移動自在とされており、移動するときには摩擦抵抗が付与されるので、内側支柱部材からの不用意な脱落を防止することができる。
【図面の簡単な説明】
【００１１】
【図１】本考案の実施形態として採用した幟旗を示す斜視図。
【図２】固定装置を示す側面図。
【図３】雌部材を省略して雄部材を示す説明的断面図。
【図４】旗竿を伸長させた幟旗の斜視図。
【図５】位置決め部材の他の例を示す説明的断面図。
【考案を実施するための形態】
【００１２】
本考案の一実施形態を図面に基づいて説明する。図１は、幟旗１を示している。幟旗１は、布製の旗部２と、旗部２の一側縁を支持する支柱体たる旗竿３と、旗竿３の上端に設けられて旗部２の上縁を支持する横棒４と、旗竿３を立てる竿台５とで構成されている。
【００１３】
旗竿３は、円形パイプ状の外側支柱部材６に、外側支柱部材６より小径の内側支柱部材７を挿入することにより構成されている。外側支柱部材６と内側支柱部材７との接続部分には固定装置８が設けられており、内側支柱部材７は外側支柱部材６に収容されて伸縮自在となっている。
【００１４】
固定装置８は、図２（Ａ）及び図２（Ｂ）に示すように、雄部材９と、雌部材１０とで構成されている。雄部材９は、図３（Ａ）及び図３（Ｂ）に示すように、外側支柱部材６の上端（先端）に固定されている。
【００１５】
雄部材９の外周には、ねじ部１１が形成されている。ねじ部１１は、図２（Ｂ）に示すように、雌部材１０の図示しないねじ部に螺合する。雌部材１０は、雄部材９に装着状態で螺合する部材であり、回動操作の際に滑り止めとなる複数の縦凸条が周方向に所定間隔を空けて形成されている。
【００１６】
ねじ部１１の下方周面には、人の手で把持可能な大きさに形成された把持部１２が設けられている。そして、把持部１２は、図２（Ａ）に示すように、雌部材１０が最も深く螺着されたときにも雌部材１０の内側に隠されることなく露出状態を維持して螺着操作が可能となるように形成されている。
【００１７】
これにより、雄部材９に雌部材１０を最も深く螺着するまで、雄部材９の把持した状態を維持することができ、雌部材１０の回転操作を円滑に行うことができる。
【００１８】
図３（Ａ）及び図３（Ｂ）に示すように、ねじ部１１の上方には、締め付け部１３が連接されている。締め付け部１３は、外側支柱部材６の先端よりも上方に延びる形状とされ、周方向に互いに間隔を空けて複数の縦の切れ目（図示せず）が形成されている。この縦の切れ目によって、締め付け部１３は拡縮自在となっている。なお、締め付け部１３は、通常の状態では（外周からの圧迫を受けていないときには）拡開状態となっている。
【００１９】
雌部材１０は、上方に向かって次第に小径となる内周面を備えている。これにより、雄部材９への雌部材１０の螺着が進むにしたがって、締め付け部１３が縮径する。締め付け部１３は、内側支柱部材７が挿通されており、締め付け部１３の縮径に応じて内側支柱部材７が外側支柱部材６に固定される。
【００２０】
雄部材９に対する雌部材１０の螺着を解除すると、締め付け部１３が拡開して内側支柱部材７の固定を解除する。これにより、内側支柱部材７の伸縮が自由に行えるようになる。
【００２１】
これにより、図１に示した旗竿３の状態から、固定装置８を操作して図４に示すように長く伸ばして、旗部２の高さ位置を高くすることができる。
【００２２】
また、図３（Ａ）及び図３（Ｂ）に示すように、内側支柱部材７の外側支柱部材６内部に位置する部分には、位置決め部材１４（位置決め部）が設けられている。位置決め部材１４は、内側支柱部材７の下端部に設けられている。雄部材９の締め付け部１３の上端内周面には、その内側に突出する凸部１５が形成されている。
【００２３】
内側支柱部材７の位置決め部材１４は、図３（Ｂ）に示すように、凸部１５に当接して外側支柱部材６からの脱出が規制される。これにより、例えば、旗竿３を伸長させるときに、内側支柱部材７を勢いよく引き伸ばしても、位置決め部材１４が凸部１５に当接して内側支柱部材７が位置決めされる。
【００２４】
また、位置決め部材１４は、本実施形態では内側支柱部材７の下端側の所定位置に接着等により固定している。しかしながら、位置決め部材１４を内側支柱部材７の長手方向に摩擦抵抗をもって移動自在に設けてもよい。
【００２５】
位置決め部材１４を移動自在にした場合には、位置決め部材１４をゴム材や弾性を有する合成樹脂等により形成し、内側支柱部材７に比較的強い力で弾発的に装着されるようにする。これによれば、図５に示すように、位置決め部材１４の位置を変更して内側支柱部材７の最大伸長寸法を予め設定しておくことができる。
【００２６】
また、位置決め部材１４がゴム材や弾性を有する合成樹脂等により形成されていれば、図３（Ｂ）に示すように、位置決め部材１４に凸部１５に当接し、図２に示すように、雌部材１０を雄部材９に完全に螺着させたとき、位置決め部材１４からパッキンとしての作用を得ることができる。
【００２７】
これにより、外側支柱部材６の内側への雨水の浸入が防止され、例えば、外側支柱部材６が金属製である場合に、その内側からの錆の発生を抑制して旗竿３の耐久性を向上させることができる。
【符号の説明】
【００２８】
３…旗竿（支柱体）、６…外側支柱部材、７…内側支柱部材、８…固定装置、９…雄部材、１０…雌部材、１２…把持部、１３…締め付け部、１４…位置決め部材（位置決め部）、１５…凸部。
【図１】
0003222462.tif 000003
【図２】
0003222462.tif 000004
【図３】
0003222462.tif 000005
【図４】
0003222462.tif 000006
【図５】
0003222462.tif 000007